(57)【要約】【課題】小型で簡単な構造のシャッタ機構や光量調節機構等を有する光量調節装置を提供する。【解決手段】この光量調節装置は、光束が通過する開口部１１ａを備えた地板１１と、駆動装置により駆動されて地板１１の開口部１１ａの開口量を調節する光量調節用羽根５とを備える。駆動装置は、周方向に分割されて異なる極に着磁された筒状のマグネット１と、マグネット１の内径部に固定される軟磁性材料からなる軸２と、マグネット２の軸方向の一側に配置されるボビン５ｂと、ボビン５ｂに巻回されるコイル３と、少なくとも一つの外側磁極部がマグネット１の外周面に径方向に対向配置され、コイル３により励磁されるステータ４とを備える。そして、光量調節用羽根５は、ボビン５ｂと合成樹脂により一体に成形される。【選択図】図１
2008170537.tif 000002
【特許請求の範囲】
【請求項１】
光束が通過する開口部を備えた地板と、駆動装置により駆動されて前記地板の開口部の開口量を調節する光量調節用羽根と、を備える光量調節装置であって、
前記駆動装置は、周方向に分割されて異なる極に着磁された筒状のマグネットと、該マグネットの内径部に固定される軟磁性材料からなる軸と、前記マグネットの軸方向の一側に配置されるボビンと、該ボビンに巻回されるコイルと、少なくとも一つの外側磁極部が前記マグネットの外周面に径方向に対向配置され、前記コイルにより励磁されるステータと、を備え、前記光量調節用羽根が前記ボビンと一体に成形される、ことを特徴とする光量調節装置。
【請求項２】
前記ステータは、前記光量調節用羽根に固定される、ことを特徴とする請求項１に記載の光量調節装置。
【請求項３】
前記光量調節用羽根の駆動時に、該光量調節用羽根が前記コイルおよび前記ステータと一体に回転する、ことを特徴とする請求項１又は２に記載の光量調節装置。
【請求項４】
前記光量調節用羽根は、一体成形され前記ボビンの中央に設けられる穴部を介して前記軸に回転可能に支持される、ことを特徴とする請求項１〜３のいずれか一項に記載の光量調節装置。
【請求項５】
前記光量調節用羽根および前記ボビンが合成樹脂で一体に成形される、ことを特徴とする請求項１〜４のいずれか一項に記載の光量調節装置。
【請求項６】
前記光量調節用羽根が遮光部に開口部を有する絞り羽根であり、前記遮光部の前記開口部に光学フィルタを配置した、ことを特徴とする請求項１〜５のいずれか一項に記載の光量調節装置。
【発明の詳細な説明】
【技術分野】
【０００１】
本発明は、例えば、シャッタ機構や光量調節機構等を有する光量調節装置に関する。
【背景技術】
【０００２】
従来のレンズシャッタカメラのシャッタ羽根の駆動装置としては、例えば、図１１に示すものがある（特許文献１）。
【０００３】
この駆動装置は、永久磁石であるマグネット１０１に駆動ピン１０２ａを有する駆動レバー１０２が固着されている。駆動レバー１０２は、マグネット１０１と一体的に回転する。
【０００４】
ステータ１０４，１０５は軟磁性材料からなり、コイル１０３により励磁される。ステータ１０４の端部１０４ａとステータ１０５の端部１０５ａとは接合されて、磁気回路上で一体となっている。コイル１０３への通電により、ステータ１０４およびステータ１０５が励磁され、マグネット１０１が所定の角度内を回転する。
【０００５】
シャッタ羽根１０６，１０７には、穴部１０６ａ，１０７ａ、および長穴１０６ｂ，１０７ｂが設けられている。シャッタ羽根１０６，１０７の穴部１０６ａ，１０７ａは地板１０８のピン１０８ｂ，１０８ｃに嵌め込まれて、シャッタ羽根１０６，１０７が地板１０８に対して回転可能に取り付けられる。
【０００６】
シャッタ羽根１０６，１０７の長穴１０６ｂ，１０７ｂは駆動レバー１０２の駆動ピン１０２ａに摺動可能に嵌合し、駆動レバー１０２がマグネット１０１とともに回転する。これにより、シャッタ羽根１０６，１０７は穴部１０６ａ，１０７ａを中心として回転駆動され、地板１０８の開口部１０８ａを開閉する。
【０００７】
前地板１０９はシャッタ羽根１０６，１０７を地板１０８との間で移動可能に保持し、後地板１１０はステータ１０４，１０５を保持するとともに、マグネット１０１を回転可能に保持する。
【０００８】
しかし、上記従来のシャッタ装置は、その厚みを薄くすることはできるが、コイルやステータが地板上において大きなスペースを占有してしまうことから、図１２および図１３に示す光量調節装置が提案されている（特許文献２）。
【０００９】
この光量調節装置は、筒状のマグネットであるロータ２０１に、Ｎ極２０１ａとＳ極２０１ｂが着磁されている。ロータ２０１には、腕２０１ｇが一体に成形されている。この腕２０１ｇから駆動ピン２０１ｈがロータ２０１の回転軸方向に延びている。ロータ２０１の同軸上には、コイル２０２が配置されている。
【００１０】
ステータ２０３は軟磁性材料からなり、コイル２０２によって励磁される。ステータ２０３は、ロータ２０１の外周面と対向する外側磁極部２０３ａと、ロータ２０１の内部に挿入される内筒２０３ｂと、ロータ２０１の軸部２０１ｆが回転可能に嵌合される穴部２０３ｃを有する。
【００１１】
補助ステータ２０４は、ステータ２０３の内筒２０３ｂに固定され、ロータ２０１の内周面と対向する。コイル２０２への通電により、外側磁極部２０３ａ、補助ステータ２０４が励磁され、ロータ２０１は所定の位置まで回転する。
【００１２】
地板２０５の穴部２０５ｄには、ロータ２０１の軸部２０１ｅが嵌合している。シャッタ羽根２０７，２０８は、地板２０５のピン２０５ｂ，２０５ｃへ穴部２０７ａ，２０８ａを介して回転可能に取り付けられ、長穴２０７ｂ，２０８ｂが駆動ピン２０１ｈに摺動可能に嵌合する。
【００１３】
トーションバネ２０６は、駆動ピン２０１ｈを長穴２０７ｂ，２０８ｂの端部に押し付ける付勢力をロータ２０１に付与している。前地板２０９は、シャッタ羽根２０７，２０８を地板２０５との間で移動可能に保持する。
【００１４】
そして、コイル２０２へ通電し、トーションバネ２０６の付勢力に抗してロータ２０１とともに駆動ピン２０１ｈを回転させることで、シャッタ羽根２０７，２０８が穴部２０７ａ，２０８ａを中心として回転駆動され、地板２０５の開口部２０５ａを開閉する。
【００１５】
この光量調節装置を、カメラのシャッタ装置として用いる場合、コイル２０２への通電時間を変化させることで露光量を調節することができる。また、ビデオカメラの絞り調節機構として用いる場合、コイル２０２への通電電流値を変更することで露光量を調節することができる。
【００１６】
そして、駆動ピン２０１ｈは外側磁極とは離れた位置に配置されるため、駆動ピン２０１ｈを永久磁石の材料で構成して該駆動ピン２０１ｈが着磁されても発生する電磁力は非常に小さい。従って、ロータ全体の出力特性に影響を及ぼすことなく光量調節装置の安定したアクチエータとすることができる。
【００１７】
また、駆動ピン２０１ｈはロータ２０１と一体的に成形されるので、別部品で構成される場合に比べ低コストで小さい組み立て誤差となる。更に、ロータ２０１の回転軸に関して外側磁極とは重複しない位置に駆動ピン２０１ｈを配置できるので、地板２０５からのステータ２０３の軸方向の突出長さＬ（図１３参照）を短くすることもできる。
【００１８】
さらに、この光量調節装置では、コイル２０２とロータ２０１とが軸方向に配置されるので、これらが地板２０５上において大きなスペースを占有しないためコンパクトな装置となる。
【００１９】
また、さらなるコンパクト化を図った光量調節装置として、図１４および図１５に示す光量調節装置が提案されている（特許文献３）。
【００２０】
この光量調節装置は、筒状のマグネットであるロータ３０１に、Ｎ極３０１ａとＳ極３０１ｂとが着磁されている。ロータ３０１には、腕３０１ｇが一体に成形されている。この腕３０１ｇから駆動ピン３０１ｈがロータ３０１の回転軸方向に延びている。ロータ３０１の同軸上には、コイル３０２が配置されている。
【００２１】
ステータ３０３は軟磁性材料からなり、コイル３０２によって励磁される。ステータ３０３は、ロータ３０１の外周面と対向する外側磁極部３０３ａと、ロータ３０１の内部に挿入される内筒３０３ｂとを有する。
【００２２】
補助ステータ３０４は、ステータ３０３の内筒３０３ｂに固定され、ロータ３０１の内周面と対向する。コイル３０２への通電により、外側磁極部３０３ａ、補助ステータ３０４が励磁され、ロータ３０１が所定の位置まで回転する。
【００２３】
ボビン３０９は非磁性材料からなり、コイル３０２が巻回される胴体部と、ロータ３０１の内周面と補助ステータ３０４との間に介在してロータ３０１を回転可能に支持する支持部３０９ｃとを有する。
【００２４】
シャッタ羽根３０７，３０８は地板３０５のピン３０５ｂ，３０５ｃへ穴部３０７ａ，３０８ａを介して回転可能に取り付けられ、長穴３０７ｂ，３０８ｂが駆動ピン３０１ｈに摺動可能に嵌合する。前地板３０６は、シャッタ羽根３０７，３０８を地板３０５との間で移動可能に保持する。
【００２５】
そして、コイル３０２へ通電し、ロータ３０１とともに駆動ピン３０１ｈを回転させることで、シャッタ羽根３０７，３０８は穴部３０７ａ，３０８ａを中心として回転駆動され、地板３０５の開口部３０５ａを開閉する。
【００２６】
この光量調節装置では、コイル３０２が巻回されるボビン３０９に、ロータ３０１の内周面とステータ３０３の内側磁極部との間に介在してロータ３０１を回動可能に支持する支持部を設け、長軸化の原因となるロータの回転支持部材を不要にしている。
【特許文献１】特開２００１−７５１４６号公報
【特許文献２】特開２００２−４９０７６号公報
【特許文献３】特開２００５−２０８２３２号公報
【発明の開示】
【発明が解決しようとする課題】
【００２７】
しかし、上記特許文献３では、ロータ３０１の腕３０１ｇが地板３０５上に露出して地板３０５上のスペースを部分的に占有するため、地板３０５上のスペースを小さくする妨げになる。
【００２８】
また、ステータ３０３の地板３０５からの軸方向の突出長さＬ（図１５参照）を装置の性能を落とさずにこれ以上短くすることが困難であることから、装置の軸方向の突出長さが長くなる。
【００２９】
そこで、本発明は、小型で簡単な構造のシャッタ機構や光量調節機構等を有する光量調節装置を提供することを目的とする。
【課題を解決するための手段】
【００３０】
上記目的を達成するために、本発明の光量調節装置は、光束が通過する開口部を備えた地板と、駆動装置により駆動されて前記地板の開口部の開口量を調節する光量調節用羽根と、を備える光量調節装置であって、前記駆動装置は、周方向に分割されて異なる極に着磁された筒状のマグネットと、該マグネットの内径部に固定される軟磁性材料からなる軸と、前記マグネットの軸方向の一側に配置されるボビンと、該ボビンに巻回されるコイルと、少なくとも一つの外側磁極部が前記マグネットの外周面に径方向に対向配置され、前記コイルにより励磁されるステータと、を備え、前記光量調節用羽根が前記ボビンと一体に成形される、ことを特徴とする。
【発明の効果】
【００３１】
本発明によれば、小型で簡単な構造のシャッタ機構や光量調節機構等を有する光量調節装置を提供することができる。
【発明を実施するための最良の形態】
【００３２】
以下、本発明の実施の形態の一例を図を参照して説明する。
【００３３】
図１は本発明の実施の形態の一例である光量調節装置を説明するための分解斜視図、図２は図１に示す光量調節装置の組立状態での断面図である。
【００３４】
図１および図２に示すように、この光量調節装置は、シャッタ羽根（光量調節羽根）５を駆動する第１の駆動装置、絞り羽根（光量調節羽根）１０を駆動する第２の駆動装置、地板１１、中間シート１２、および羽根押え１３を備える。
【００３５】
第１の駆動装置は、マグネット１、軸２、コイル３、ステータ４、およびシャッタ羽根５を有している。
【００３６】
マグネット１は、円筒状の永久磁石からなり、外周面が円周方向に複数に分割（本実施の形態では４分割）されて、分割域に着磁極数がｎ（ｎ＝４）となるようにＳ極とＮ極とが交互に着磁されている。マグネット１の内周面は、外周面に比べて弱い着磁分布を持つか、あるいは全く着磁されていないか、あるいは外周面と逆の極、すなわち外周面がＳ極の場合はその領域の内周面はＮ極に着磁されているかの何れかである。
【００３７】
軸２は、軟磁性材料からなり、マグネット１の内周面が接着や圧入等により密着固定される第１の円柱部２ａを有する。また、軸２には、第２の円柱部２ｂ、円柱端部２ｃ、および円柱端部２ｄが形成されている。
【００３８】
ステータ４は、軟磁性材料からなり、第１の外側磁極部４ａ、第２の外側磁極部４ｂ、および軸２の円柱端部２ｃが嵌合する軸穴部４ｃを有する。第１の外側磁極部４ａおよび第２の外側磁極部４ｂは、軸２に沿って平行に延びる櫛歯状に形成されている。また、第１の外側磁極部４ａおよび第２の外側磁極部４ｂは、マグネット１の外周面に所定の隙間を介して対向配置される。そして、マグネット１の内側に固定されるとともに、コイル３の内側に配置される軸２により内側磁極部が形成される。
【００３９】
シャッタ羽根５には、コイル３が巻かれるボビン部５ｂが一体に成形され、ボビン部５ｂの中央に設けられる穴部５ｃが軸２の第２の円柱部２ｂに回転可能に嵌合する。
【００４０】
そして、コイル３へ通電することにより、第１の外側磁極部４ａおよび第２の外側磁極部４ｂと内側磁極部とが励磁され、外側磁極部４ａ，４ｂと内側磁極部との間にはマグネット１を横切る磁束が発生してマグネット１に作用する。その際、第１の外側磁極部４ａおよび第２の外側磁極部４ｂと内側磁極部とはそれぞれ反対の極に励磁される。
【００４１】
第２の駆動装置は、マグネット６、軸７、コイル８、ステータ９、および絞り羽根１０を有している。
【００４２】
マグネット６は、円筒状の永久磁石からなり、外周面が円周方向に複数に分割（本実施の形態では４分割）されて、分割域に着磁極数がｎ（ｎ＝４）となるようにＳ極とＮ極とが交互に着磁されている。マグネット６の内周面は、外周面に比べて弱い着磁分布を持つか、あるいは全く着磁されていないか、あるいは外周面と逆の極、すなわち外周面がＳ極の場合はその領域の内周面はＮ極に着磁されているかの何れかである。
【００４３】
軸７は、軟磁性材料からなり、マグネット６の内周面が接着や圧入等により密着固定される第１の円柱部７ａを有する。また、軸７には、第２の円柱部７ｂ、円柱端部７ｃ、および円柱端部７ｄが形成されている。
【００４４】
ステータ９は、軟磁性材料からなり、第１の外側磁極部９ａ、第２の外側磁極部９ｂ、および軸７の円柱端部７ｃが嵌合する軸穴部９ｃを有する。第１の外側磁極部９ａおよび第２の外側磁極部９ｂは、軸７に沿って平行に延びる櫛歯状に形成されている。また、第１の外側磁極部９ａおよび第２の外側磁極部９ｂは、マグネット６の外周面に所定の隙間を介して対向配置される。そして、マグネット６の内側に固定されるとともにコイル８の内側に配置される軸７によって内側磁極部が形成される。
【００４５】
絞り羽根１０は、コイル８が巻かれるボビン部１０ｂが一体で成形され、ボビン部１０ｂの中央に設けられる穴部１０ｃが軸７の第２の円柱部７ｂに回転可能に嵌合する。
【００４６】
そして、コイル８へ通電することにより、第１の外側磁極部９ａおよび第２の外側磁極部９ｂと内側磁極部とが励磁され、外側磁極部９ａ，９ｂと内側磁極部との間にはマグネット６を横切る磁束が発生し、マグネット６に作用する。その際、第１の外側磁極部９ａおよび第２の外側磁極部９ｂと内側磁極部とはそれぞれ反対の極に励磁される。
【００４７】
地板１１は、中央に開口部１１ａが設けられている。また、地板１１には、軸２の円柱端部２ｄが挿入されて位置決めされる穴部１１ｂ、軸７の円柱端部７ｄが挿入されて位置決めされる穴部１１ｃ、マグネット１および軸２が固定される凹部１１ｄ、マグネット６および軸７が固定される凹部１１ｅが設けられている。更に、地板１１には、シャッタ羽根５および絞り羽根１０の閉じ側のストッパー１１ｆ、シャッタ羽根５の開き側のストッパー１１ｇ、絞り羽根１０の開き側のストッパー１１ｈが一体で設けられている。
【００４８】
ここで、シャッタ羽根５は地板１１の開口部１１ａよりも大径の遮光部５ａを有し、軸２の第２の円柱部２ｂにボビン部５ｂの中央に設けられた穴部５ｃが回転可能に嵌合して、地板１１上に配置される。また、シャッタ羽根５の遮光部５ａの一部が地板１１のストッパー１１ｆに当接する状態からストッパー１１ｇに当接する状態まで穴部５ｃを中心に回転可能となっている。
【００４９】
中間シート１２は、中央に地板１１の開口部１１ａよりも若干小径の開口部１２ａが設けられ、シャッタ羽根５を間に挟んで地板１１に固定される。
【００５０】
ここで、絞り羽根１０は、中間シート１２の開口部１２ａよりも大径の遮光部１０ａを有し、遮光部１０ａの中央には、開口部１２ａよりも小径の開口部が設けられている。また、絞り羽根１０は、軸７の第２円柱部７ｂにボビン部１０ｂの中央に設けられた穴部１０ｃが回転可能に嵌合して、中間シート１２上に配置される。更に、絞り羽根１０は、遮光部１０ａの一部が地板１１のストッパー１１ｆに当接する状態からストッパー１１ｈに当接する状態まで穴部１０ｃを中心に回転可能となっている。
【００５１】
羽根押え１３は、シャッタ羽根５、中間シート１２、および絞り羽根１０の地板１１からの抜け止め部材として機能する。羽根押え１３には、中央に中間シート１２の開口部１２ａよりも大径の開口部１３ａが設けられている。また、羽根押え１３には、ステータ４の直径よりも大径の開口部１３ｂおよびステータ９の直径よりも大径の開口部１３ｃが設けられている。地板１１の開口部１１ａと中間シート１２の開口部１２ａと羽根押え１３の開口部１３ａとは、その中心がほぼ一致して配置される。
【００５２】
次に、図３〜図１０を参照して、光量調節装置のシャッタ羽根５および絞り羽根１０の動作例を説明する。なお、図３、図５、図７、図９では、羽根押え１３および中間シート１２の図示を省略している。また、図４、図６、図８、図１０は、それぞれ図３、図５、図７、図９の状態を裏から見た図で、地板１１および中間シート１２の図示を省略している。
【００５３】
まず、図４において、コイル３に正通電して第１の外側磁極部４ａおよび第２の外側磁極部４ｂをＳ極に励磁すると、ステータ４には各外側磁極部４ａ，４ｂの中心とマグネット１の着磁部の中心（Ｎ極の中心）が一致するように図の時計方向の回転力が発生する。
【００５４】
このとき、図３に示すように、ステータ４に固定されているシャッタ羽根５の遮光部５ａの一部が地板１１のストッパー１１ｇに当接して、シャッタ羽根５は図３および図４の状態となる。第１の外側磁極部４ａおよび第２の外側磁極部４ｂの中心とマグネット１の着磁部の中心が一致する状態は無通電コギング停止位置と一致しており、図３および図４の状態でコイル３の通電を切っても、コギング力によりこの状態は保持される。
【００５５】
一方、コイル８に正通電して第１の外側磁極部９ａおよび第２の外側磁極部９ｂをＳ極に励磁すると、ステータ９には各外側磁極部９ａ，９ｂの中心とマグネット６の着磁部の中心（Ｎ極の中心）が一致するように図の反時計方向の回転力が発生する。
【００５６】
このとき、図３に示すように、ステータ９に固定されている絞り羽根１０の遮光部１０ａの一部が地板１１のストッパー１１ｈに当接して、絞り羽根１０は図３および図４の状態となる。第１の外側磁極部９ａおよび第２の外側磁極部９ｂの中心とマグネット６の着磁部の中心が一致する状態は無通電コギング停止位置と一致しており、図３および図４の状態でコイル８の通電を切っても、コギング力によりこの状態は保持される。
【００５７】
この状態は、シャッタ羽根５および絞り羽根１０が地板１１の開口部１１ａおよび羽根押え１３の開口部１３ａから退避した状態である。すなわち、地板１１の開口部１１ａよりも若干小径である中間シート１２の開口部１２ａからも退避した状態となる。このとき、露光用の開口は中間シート１２の開口部１２ａで決まることになる。
【００５８】
図３，図４の状態からコイル３を逆通電に切り換えると、第１の外側磁極部４ａおよび第２の外側磁極部４ｂはＮ極に励磁される。すると、ステータ４には、各外側磁極部４ａ，４ｂの中心とマグネット１の着磁部の中心（Ｓ極の中心）が一致するように図４の反時計方向の回転力が発生し、図４の状態から時計方向に約５０°回転すると、図６の状態になる。
【００５９】
このとき、反時計方向の回転力は発生したままであるが、図５に示すように、ステータ４に固定されているシャッタ羽根５の遮光部５ａの一部が地板１１のストッパー１１ｆに当接し、シャッタ羽根５は、図５および図６の状態となる。
【００６０】
この状態は、シャッタ羽根５が地板１１の開口部１１ａおよび羽根押え１３の開口部１３ａを完全に覆った状態であり、絞り羽根１０は地板１１の開口部１１ａおよび羽根押え１３の開口部１３ａから退避した状態のままである。すなわち、地板１１の開口部１１ａよりも若干小径である中間シート１２の開口部１２ａも完全に遮光された状態となる。
【００６１】
また、図３，図４の状態からコイル８を逆通電に切り換えると、第１の外側磁極部９ａおよび第２の外側磁極部９ｂはＮ極に励磁される。すると、ステータ９には、各外側磁極部９ａ，９ｂの中心とマグネット６の着磁部の中心（Ｓ極の中心）が一致するように図４の時計方向の回転力が発生し、図４の状態から反時計方向に約５０°回転すると、図８の状態になる。
【００６２】
このとき、時計方向の回転力は発生したままであるが、図７に示すようにステータ９に固定されている絞り羽根１０の遮光部１０ａの一部が地板１１のストッパー１１ｆに当接し、絞り羽根１０は、図７および図８の状態となる。
【００６３】
この状態は、絞り羽根１０が地板１１の開口部１１ａおよび羽根押え１３の開口部１３ａに重なった状態であり、シャッタ羽根５は地板１１の開口部１１ａおよび羽根押え１３の開口部１３ａから退避した状態のままである。すなわち、地板１１の開口部１１ａよりも若干小径である中間シート１２の開口部１２ａは絞り羽根１０に覆われる。このとき、露光用の開口は中間シート１２の開口部１２ａよりも小径である絞り羽根１０の遮光部１０ａの開口部で決まることになる。
【００６４】
次に、図７および図８の状態からコイル３を逆通電に切り換えると、第１の外側磁極部４ａおよび第２の外側磁極部４ｂはＮ極に励磁される。すると、ステータ４には、各外側磁極部４ａ，４ｂの中心とマグネット１の着磁部の中心（Ｓ極の中心）が一致するように図８の反時計方向の回転力が発生し、図８の状態から時計方向に約５０°回転すると、図１０の状態になる。
【００６５】
このとき、反時計方向の回転力は発生したままであるが、図９に示すようにステータ４に固定されているシャッタ羽根５の遮光部５ａの一部が地板１１のストッパー１１ｆに当接して、シャッタ羽根５は図９および図１０の状態となる。
【００６６】
この状態は、シャッタ羽根５が地板１１の開口部１１ａおよび羽根押え１３の開口部１３ａを完全に覆った状態であり、絞り羽根１０は地板１１の開口部１１ａおよび羽根押え１３の開口部１３ａに重なったままである。すなわち、地板１１の開口部１１ａよりも若干小径である中間シート１２の開口部１２ａも完全に遮光された状態となる。
【００６７】
このように、コイル３およびコイル８の通電状態を制御することで、図３〜図１０の状態を任意に選択することができる。
【００６８】
以上のように、本実施の形態では、２つの駆動装置を用いシャッタ羽根５と絞り羽根１０とをそれぞれ露光用開口への挿入位置と露光用開口からの退避位置とに選択的に駆動することが可能となる。
【００６９】
また、シャッタ羽根５を駆動する第１の駆動装置のコイル３が巻回されるボビン部５ｂがシャッタ羽根５と一体成形され、絞り羽根１０を駆動する第２の駆動装置のコイル８が巻回されるボビン１０ｂが絞り羽根１０と一体成形される。このため、従来に比べて、シンプルな構造で部品も少なくて済み、コストを低くすることができる。
【００７０】
さらに、コイル３とステータ４がシャッタ羽根５と一体で回転するため、シャッタ羽根５の駆動時間のばらつきが少なくなり、シャッタ速度の繰り返し誤差を大幅に低減することができる。
【００７１】
さらに、従来のように、ロータの腕が地板上に露出して地板上のスペースを占有することがなく、２つの駆動装置の地板１１上のスペースを限りなく小さくすることができる。
【００７２】
さらに、円筒状の２つの駆動装置をそれぞれシャッタ羽根５の軸方向上下および絞り羽根１０の軸方向上下に分けて配置することが可能となり、地板１１からの駆動装置の軸方向突出高さを低くすることができる。
【００７３】
なお、本発明は上記実施の形態に例示したものに限定されるものではなく、本発明の要旨を逸脱しない範囲において適宜変更可能である。
【００７４】
例えば、上記実施の形態では、絞り羽根１０の遮光部１０ａには露光用開口を決める中間シート１２の開口部１２ａよりも小径の開口部が中央に設けられたものであるが、この開口部に通過光が所定量だけ透過するＮＤフィルタを設けてもよい。その場合、遮光部１０ａの開口部の径を小さくし過ぎることで発生する小絞り回折による画像劣化を防ぐことが可能となる。
【図面の簡単な説明】
【００７５】
【図１】本発明の実施の形態の一例である光量調節装置を説明するための分解斜視図である。
【図２】図１に示す光量調節装置の組立状態での断面図である。
【図３】図１に示す光量調節装置のシャッタ羽根および絞り羽根の動作例を説明するための図である。
【図４】マグネット、ステータ、シャッタ羽根および絞り羽根の位相関係を示す図であり、図３の状態を裏から見た図である。
【図５】図３の状態から第１の駆動装置のコイルの通電を切り換えてシャッタ羽根を駆動させた状態を示す図である。
【図６】マグネット、ステータ、シャッタ羽根および絞り羽根の位相関係を示す図であり、図５の状態を裏から見た図である。
【図７】図３の状態から第２の駆動装置のコイルの通電を切り換えて絞り羽根を駆動させた状態を示す図である。
【図８】マグネット、ステータ、シャッタ羽根および絞り羽根の位相関係を示す図であり、図７の状態を裏から見た図である。
【図９】図７の状態からシャッタ用駆動装置のコイルの通電を切り換えてシャッタ羽根を駆動させた状態を示す図である。
【図１０】マグネット、ステータ、シャッタ羽根および絞り羽根の位相関係を示す図であり、図９の状態を裏から見た図である。
【図１１】従来のシャッタ羽根の駆動装置を示す分解斜視図である。
【図１２】従来の光量調節装置を示す分解斜視図である。
【図１３】図１２に示す光量調節装置の要部断面図である。
【図１４】従来の他の光量調節装置を示す分解斜視図である。
【図１５】図１４に示す光量調節装置の要部断面図である。
【符号の説明】
【００７６】
１，６  マグネット
２，７  軸
３，８  コイル
４，９  ステータ
５      シャッタ羽根（光量調節羽根）
５ｂ    ボビン
１０    絞り羽根（光量調節羽根）
１０ｂ  ボビン
１１    地板
１２    中間シート
１３    羽根押え
【図１】
2008170537.tif 000003
【図２】
2008170537.tif 000004
【図３】
2008170537.tif 000005
【図４】
2008170537.tif 000006
【図５】
2008170537.tif 000007
【図６】
2008170537.tif 000008
【図７】
2008170537.tif 000009
【図８】
2008170537.tif 000010
【図９】
2008170537.tif 000011
【図１０】
2008170537.tif 000012
【図１１】
2008170537.tif 000013
【図１２】
2008170537.tif 000014
【図１３】
2008170537.tif 000015
【図１４】
2008170537.tif 000016
【図１５】
2008170537.tif 000017